(57)【要約】      （修正有）【課題】外力によって被回転体が一方向に回転される際に、磁気粘性流体を用いた回転抵抗発生部のみによって被回転体に回転抵抗を付与することができ、かつ、一方向に回転された被回転体を元の回転位置に戻すことができる回転抵抗発生装置を提供する。【解決手段】ワンウェイクラッチ４は、被回転体２が一方向に回転されるときに被回転体から回転抵抗発生部３へトルクを伝達する。回転抵抗発生部は、被回転体とワンウェイクラッチを介して連結された回転部１２と、磁気粘性流体１３に磁場を付与する電磁石１４とを有し、磁場の強さに応じた回転抵抗を回転部に生じさせる。一方向トルク伝達機６は、超音波モータ５から被回転体へのトルクのみを伝達し、被回転体から超音波モータへのトルクを伝達しない。【選択図】図１
2019175237.tif 000002
【特許請求の範囲】
【請求項１】
外力によって回転される被回転体と、
前記被回転体とワンウェイクラッチを介して連結された回転抵抗発生部と、
前記被回転体と一方向トルク伝達機を介して連結された超音波モータと、
を備え、
前記ワンウェイクラッチは、
外力によって前記被回転体が一方向に回転されるときに当該被回転体から前記回転抵抗発生部へトルクを伝達するものであり、
前記回転抵抗発生部は、
前記被回転体と前記ワンウェイクラッチを介して連結された回転部と、
磁気粘性流体に磁場を付与する電磁石とを有し、
前記磁気粘性流体に付与する磁場の強さに応じた回転抵抗を前記回転部に生じさせるものであり、
前記一方向トルク伝達機は、
前記超音波モータ側から前記被回転体側へのトルクのみを伝達し、前記被回転体側から前記超音波モータ側へのトルクを伝達しないものである、
ことを特徴とする回転抵抗発生装置。
【請求項２】
請求項１に記載の回転抵抗発生装置において、
前記被回転体の回転状態に基づいて前記超音波モータの駆動を制御する制御部を更に備え、
前記制御部は、
外力によって前記被回転体が所定の回転位置から一方向に回転された後、その回転が停止した場合に、前記超音波モータを駆動して前記被回転体を前記所定の回転位置に戻るまで他方向に回転させる、
ことを特徴とする回転抵抗発生装置。
【請求項３】
請求項１に記載の回転抵抗発生装置において、
前記被回転体の回転状態に基づいて前記超音波モータの駆動と、前記回転抵抗発生部が発生する回転抵抗とを制御する制御部を更に備え、
外力によって前記被回転体が一方向に回転されるとき、前記回転抵抗発生部に電流を供給して回転抵抗を発生させるとともに、前記超音波モータへの電流の供給を停止し、
前記超音波モータへ電流を供給して前記被回転体を他方向に回転させるとき、前記回転抵抗発生部への電流の供給を停止する
ことを特徴とする回転抵抗発生装置。
【発明の詳細な説明】
【技術分野】
【０００１】
本発明は、外力によって回転される被回転体において所望の回転抵抗を発生する回転抵抗発生装置に関する。特に、磁気粘性流体に付与する磁場の強さを変えることにより、前記被回転体において所望の回転抵抗を発生する回転抵抗発生装置に関する。
【背景技術】
【０００２】
この種の関連技術として、例えば特許文献１には、力覚提示装置が開示されている。同文献の力覚提示装置には、磁気粘性流体に付与する磁場の強さを変えることにより、所望の回転抵抗を発生する回転抵抗発生部が備わっている。この回転抵抗発生部は、電磁石によって内部に封入された磁気粘性流体に磁場を付与するものであり、電磁石に給電する電流値を制御することで、当該回転抵抗発生部が生じる回転抵抗を制御する。
【０００３】
同文献の力覚提示装置は、操作部が押し込まれると、その動作がリンク機構を介して回転動作に変換されて回転抵抗発生部に伝達される。このとき、回転抵抗発生部が回転抵抗を生じることで、その回転抵抗がリンク機構を介して変位部に伝達され、変位部を押し込む操作者に力覚として提示される。
【先行技術文献】
【特許文献】
【０００４】
【特許文献１】特開２０１７−１３８６５１号公報
【発明の概要】
【発明が解決しようとする課題】
【０００５】
ところで、磁気粘性流体を用いた回転抵抗発生部は、自ら駆動することができないため、操作者によって押し込まれた変位部、および、変位部が押し込まれることによって、一方向へ回転されたリンク部材等の被回転体を元の位置に戻すことができない。
【０００６】
特許文献１の「他の実施形態」には、スプリングを使用して変位部を元の位置に復帰させることが記載されているが、そのようにした場合、操作者が変位部を押し込む際に、その変位部が提示する力覚（回転抵抗）に、スプリングの反力が含まれてしまう。そうなると、操作者に対して提示できる力覚の自由度が著しく制限されてしまう。
【０００７】
本発明は、かかる課題に鑑みて創案されたものであり、外力によって被回転体が一方向に回転される際に、磁気粘性流体を用いた回転抵抗発生部のみによって被回転体に回転抵抗を付与することができ、かつ、一方向に回転された被回転体を元の回転位置に戻すことができる回転抵抗発生装置を提供することを目的とする。
【課題を解決するための手段】
【０００８】
本発明の一態様に係る回転抵抗発生装置は、外力によって回転される被回転体と、前記被回転体とワンウェイクラッチを介して連結された回転抵抗発生部と、前記被回転体と一方向トルク伝達機を介して連結された超音波モータと、を備える。前記ワンウェイクラッチは、外力によって前記被回転体が一方向に回転されるときに当該被回転体から前記回転抵抗発生部へトルクを伝達するものである。前記回転抵抗発生部は、前記被回転体と前記ワンウェイクラッチを介して連結された回転部と、磁気粘性流体に磁場を付与する電磁石とを有し、前記磁気粘性流体に付与する磁場の強さに応じた回転抵抗を前記回転部に生じさせるものである。前記一方向トルク伝達機は、前記超音波モータ側から前記被回転体側へのトルクのみを伝達し、前記被回転体側から前記超音波モータ側へのトルクを伝達しないものである。
【０００９】
かかる構成を備える回転抵抗発生装置によれば、外力によって被回転体が一方向に回転するとき、被回転体側から超音波モータ側へトルクが伝達されないため、超音波モータから、被回転体に回転抵抗が付与されることがない。よって、回転抵抗発生部のみによって被回転体に回転抵抗を付与することができる。また、超音波モータ側から被回転体側へはトルクが伝達されるため、超音波モータを他方向に回転駆動することで、被回転体を元の回転位置に戻すことが可能となる。
【００１０】
前記構成を備える回転抵抗発生装置において、例えば、前記被回転体の回転状態に基づいて前記超音波モータの駆動を制御する制御部を更に備え、前記制御部は、外力によって前記被回転体が所定の回転位置から一方向に回転された後、その回転が停止した場合に、前記超音波モータを駆動して前記被回転体を前記所定の回転位置に戻るまで他方向に回転させる、ものとすることができる。
【００１１】
かかる構成を備える回転抵抗発生装置によれば、外力によって被回転体が所定の回転位置から一方向に回転された場合、自動的に被回転体を元の回転位置まで戻すことができる。
【００１２】
前記構成を備える回転抵抗発生装置において、例えば、前記被回転体の回転状態に基づいて前記超音波モータの駆動と、前記回転抵抗発生部が発生する回転抵抗とを制御する制御部を更に備え、外力によって前記被回転体が一方向に回転されるとき、前記回転抵抗発生部に電流を供給して回転抵抗を発生させるとともに、前記超音波モータへの電流の供給を停止し、前記超音波モータへ電流を供給して前記被回転体を他方向に回転させるとき、前記回転抵抗発生部への電流の供給を停止する、ものとすることができる。
【００１３】
かかる構成を備える回転抵抗発生装置によれば、回転抵抗発生部が被回転体と繋がっていないときに当該回転抵抗発生部への給電が停止され、超音波モータが被回転体と繋がっていないときに当該超音波モータへの給電が停止されるので、消費電力を抑えることができる。
【発明の効果】
【００１４】
本発明に係る回転制動装置によれば、外力によって被回転体が一方向に回転される場合、磁気粘性流体を用いた回転抵抗発生部のみによって被回転体に回転抵抗を付与することができる。また、超音波モータを他方向に回転駆動することで当該被回転体を元の位置に戻すことが可能となる。
【図面の簡単な説明】
【００１５】
【図１】本実施形態に係る回転抵抗発生装置を示す断面図である。
【図２】本実施形態に係る回転抵抗発生装置の各部間での回転伝達状態を示す図である。
【発明を実施するための形態】
【００１６】
以下、本発明の実施の形態に係る回転抵抗発生装置について図面を参照しながら説明する。図１に示すように回転抵抗発生装置１は、被回転体２、回転抵抗発生部３、ワンウェイクラッチ４、超音波モータ５、一方向トルク伝達機６、制御部７等を備えている。
【００１７】
被回転体２は、外力（例えば操作者による外力）によって軸線Ｎ回りに回転される。ここで、外力は、直接被回転体２に付与されるものに限らず、何らかの機構、部材等を介して被回転体２に付与される外力であってもよい。被回転体２は、基部２ａと、基部２ａの外周部から径方向外側に延出したレバー部２ｂとを備える。基部２ａは、ベアリング９を介して支持体１０に回転自在に支持されている。また、基部２ａには、後述するワンウェイクラッチ４の外径側が嵌め込まれている。被回転体２の形状は特に限定されず、回転抵抗発生装置１が適用される機械、器具、装置、システム等の適用物に応じて適宜決定される。
【００１８】
回転抵抗発生部３は、被回転体２とワンウェイクラッチ４を介して連結されている。この回転抵抗発生部３は、ワンウェイクラッチ４の内径側と一体回転するように設けられた回転部１２と、磁気粘性流体１３と、磁気粘性流体１３に磁場を付与する電磁石１４とを備え、磁気粘性流体１３に付与する磁場の強さに応じた回転抵抗を回転部１２において発生する。回転抵抗発生部３の外周部は支持体１０に固定されている。なお、回転抵抗発生部３の詳細な構成例については後述する。
【００１９】
ワンウェイクラッチ４は、外力により被回転体２が一方向に回転されるとき、当該被回転体２から回転抵抗発生部３へトルク伝達するように設けられている。したがって、被回転体２が他方向に回転されるときは、被回転体２から回転抵抗発生部３へトルク伝達されない。本実施形態では、図１の矢印Ａの方向から視て時計方向の回転を一方向への回転とし、反時計方向の回転を他方向への回転として説明する。
【００２０】
超音波モータ５は、超音波振動を利用して内部のロータおよび出力軸１６を回転駆動する。超音波モータ５の出力軸１６は、後述する一方向トルク伝達機６の入力軸１７と回転一体に連結されている。超音波モータ５の外周部は支持体１０に固定されている。
【００２１】
一方向トルク伝達機６は、本体が支持体１０に固定され、入力軸１７が超音波モータ５の出力軸１６と回転一体に連結され、出力軸１５が被回転体２の基部２ａと回転一体に連結されている。この一方向トルク伝達機６は、超音波モータ５側から被回転体２側へのトルクのみを伝達し、被回転体２側から超音波モータ５側へのトルクを伝達しない。なお、このような、一方向トルク伝達機６として、例えばＮＴＮ株式会社製の「フリー型トルクダイオード（登録商標）」のような製品を利用することができる。
【００２２】
制御部７は、回転抵抗発生部３のコイル１８に対して電流を供給する。制御部７は、外部からの指令又は内部において予め決められた手順に従って、被回転体２の回転状態（回転位置、回転速度、回転方向等）を参照しつつ、コイル１８に供給する電流を制御する。例えば、コイル１８に供給する電流のＯＮ／ＯＦＦ制御、コイル１８に供給する電流値の可変制御などを行う。電流値の可変制御の例として、電流値を周期的若しくは非周期的に変動させることが挙げられる。さらに、電流値を周期的に変動させる制御の例として、時間変化が矩形波となるように電流値を変動させることが挙げられる。
【００２３】
被回転体２の回転状態（回転位置、回転速度、回転方向等）は、被回転体２に対して設置された回転検出センサ１９から出力される信号に基づき制御部７が検出する。
【００２４】
制御部７は、超音波モータ５に対しても電流を供給する。制御部７は、外部からの指令又は内部において予め決められた手順に従って、被回転体２の回転状態（回転位置、回転速度、回転方向等）を参照しつつ、超音波モータ５に供給する電流を制御する。例えば、超音波モータ５に供給する電流のＯＮ／ＯＦＦ制御、超音波モータ５に供給する電流値の可変制御などを行う。
【００２５】
次に、図１に例示する回転抵抗発生部３の構成例を説明する。図１に示す回転抵抗発生部３は、回転部１２、ヨーク２１，２２、コイル１８、磁気粘性流体１３、ケーシング２３等で構成されている。更に、回転部１２は、回転軸２４、円板２５等で構成されている。
【００２６】
回転軸２４は、その端部が円板２５の裏面２５ｂの中心部に垂直に接続されている。回転軸２４はベアリング２７を介してヨーク２２に設けられた軸穴２８に回転自在に支持されている。
【００２７】
円板２５は、磁性体からなり、回転軸２４と一体に回転可能となっている。ケーシング２３、ヨーク２１，２２等は支持体１０に対して回転しないように所定の固定手段により固定されている。
【００２８】
ヨークは、第１ヨーク２１および第２ヨーク２２で構成されている。第１ヨーク２１は、円板２５の表面２５ａに対して微小隙間を介して対向する円板状のもので構成されている。この第１ヨーク２１は、円筒状のケーシング２３に嵌め込まれて固定されている。
【００２９】
第２ヨーク２２は、円板２５の裏面２５ｂに対して微小隙間を介して対向する対向面２２ａを有する。この第２ヨーク２２は、円筒状のケーシング２３の内側に嵌め込まれて固定されている。
【００３０】
符号２９は、非磁性体からなる球体であり、第１ヨーク２１の中心部に形成された凹部と、回転軸２４の端面の中心に形成された凹部とで形成されるスペースに収容されている。
【００３１】
コイル１８は、第２ヨーク２２に形成された環状の溝に沿って配設されている。このコイル１８には、制御部７から電流が供給される。
【００３２】
磁気粘性流体１３は、円板２５と、第１ヨーク２１および第２ヨーク２２との隙間に封入されている。この磁気粘性流体１３は、磁性粒子を分散媒に分散させてなる液体であり、例えばその磁性粒子がナノサイズの金属粒子（金属ナノ粒子）からなるものが使用できる。磁性粒子は磁化可能な金属材料からなり、金属材料に特に制限はないが軟磁性材料が好ましい。軟磁性材料としては、例えば鉄、コバルト、ニッケル及びパーマロイ等の合金が挙げられる。分散媒は、特に限定されるものではないが、一例として疎水性のシリコーンオイルを挙げることができる。磁気粘性流体における磁性粒子の配合量は、例えば３〜４０ｖｏｌ％とすればよい。磁気粘性流体にはまた、所望の各種特性を得るために、各種の添加剤を添加することも可能である。
【００３３】
上記構成を備える回動抵抗発生部３において、コイル１８に電流が印加されると、矢印Ｐが示す方向に沿って円板２５、第１ヨーク２１、第２ヨーク２２内に磁路が形成される。この磁路は、円板２５の表面２５ａと第１ヨーク２１との隙間や、円板２５の裏面２５ｂと第２ヨーク２２との隙間に介在する磁気粘性流体１３を貫通する。これにより、磁気粘性流体１３には、磁場の強さに応じた粘度（ずり応力）が発現し、円板２５とヨーク２１，２２との間での伝達トルクが磁場の強さに応じて大きくなる。その結果、回転軸２４の回転抵抗もコイル１８に印加される電流値に応じて大きくなる。
【００３４】
次に、回転抵抗発生装置１において、被回転体２が外力によって回転される際の動作の一例を説明する。以下では、例えば図１に示すようにレバー部２ｂが真上を向いたときの被回転体２の回転位置を初期位置と仮定して説明する。
【００３５】
先ず、被回転体２が初期位置で停止しているとき、制御部７は、回転検出センサ１９からの信号に基づいて被回転体２が初期位置で停止していることを検出する。このとき、制御部７は、回転抵抗発生部３および超音波モータ５への給電を行わない。
【００３６】
被回転体２が、初期位置で停止している状態から、操作者の操作力によって一方向（矢印Ａ方向から視て時計方向）に回転されるとき、制御部７は、回転検出センサ１９からの信号に基づいて被回転体２が一方向に回転していることを検出する。このとき、制御部７は、回転抵抗発生部３のコイル１８に電流を供給して磁気粘性流体１３に磁場を印加する。
【００３７】
また、被回転体２が一方向に回転されているとき、図２（ａ）に示すように、被回転体２からワンウェイクラッチ４を介して回転抵抗発生部３へトルクが伝達される。このことから、回転抵抗発生部３で発生する回転抵抗が、操作者に対して、操作力に対する反力（力覚）として提示される。また、このとき、被回転体２側から超音波モータ５側へトルク伝達されないため、回転抵抗発生部３のみによって被回転体２に回転抵抗が付与される。なお、被回転体２が一方向に回転しているとき、回転抵抗発生部３に供給する電流の値を変化、変動等させることで、操作者に対して様々な力覚を提示することができる。
【００３８】
被回転体２が、操作者の操作力によって一方向（矢印Ａ方向から視て時計方向）に回転された後、操作者が操作を止める、あるいは、被回転体がそれ以上回転できない回転位置に達する等して、被回転体２の回転が停止した場合、制御部７は、回転検出センサ１９からの信号に基づいてそのことを検出する。このとき、制御部７は、回転抵抗発生部３のコイル１８への給電を停止するとともに、超音波モータ５に電流を供給して超音波モータ５を他方向（矢印Ａ方向から視て反時計方向）に回転駆動させる。
【００３９】
超音波モータ５が他方向に回転駆動すると、そのトルクは、図２（ｂ）に示すように、一方向トルク伝達部６を介して被回転体２に伝達され、被回転体２が他方向に回転する。このとき、ワンウェイクラッチ４は、被回転体２から回転抵抗発生部３にトルク伝達しないことから、回転抵抗発生部３の回転抵抗（磁気粘性流体に磁場が印加されていないときの回転抵抗）が被回転体２に負荷されることはない。
【００４０】
その後、被回転体２が初期位置まで回転すると、制御部７は、回転検出センサ１９からの信号に基づいて被回転体２が初期位置に戻ったことを検出するとともに、超音波モータ５への給電を停止して被回転体２を初期位置で停止させる。
【００４１】
以上の説明から明らかなように、本実施形態に係る回転抵抗発生装置１によれば、外力によって被回転体２が一方向に回転されるとき、被回転体２側から超音波モータ５側へトルクが伝達されないため、超音波モータ５から、被回転体２に回転抵抗が付与されることがない。よって、回転抵抗発生部３のみによって被回転体２に回転抵抗を付与することができる。また、被回転体２が初期位置から一方向に回転された後、自動的に、被回転体２を他方向に回転させて初期位置に戻すことができる。
【００４２】
また、本実施形態に係る回転抵抗発生装置１によれば、被回転体２が一方向に回転しているとき、被回転体２と繋がっていない超音波モータ５への給電が停止され、被回転体２が他方向に回転されているとき、被回転体２と繋がっていない回転抵抗発生部３への給電が停止されるので、消費電力が抑制される。
【産業上の利用可能性】
【００４３】
本発明は、外力によって回転される被回転体において所望の回転抵抗を発生する回転抵抗発生装置に適用可能である。
【符号の説明】
【００４４】
１    回転抵抗発生装置
２    被回転体
３    回転抵抗発生部
４    ワンウェイクラッチ
５    超音波モータ
６    一方向トルク伝達機
７  制御部
１２  回転部
１３  磁気粘性流体
１４  電磁石
【図１】
2019175237.tif 000003
【図２】
2019175237.tif 000004